(57)【要約】【課題】記憶媒体に記憶された全てのファイルを再生できるファイル再生方法を得ることを目的とする。【解決手段】予め決められたファイル情報数に達するまでメモリにファイル情報を記憶すると、前記ファイル情報に対応するファイルの再生を行い、前記ファイルの再生が終了すると、前記メモリから再生済みのファイル情報を破棄して記憶媒体から新たにファイル情報を読み込んで前記メモリに記憶する動作を、記憶媒体に記憶された全てのファイルの再生が終了するまで繰り返すことを特徴とする。【選択図】図１
2009087393.tif 000002
【特許請求の範囲】
【請求項１】
メディアファイルを記憶した記憶媒体からファイルシステムを取得する第１ステップと、
前記第１ステップで読み出したファイルシステムからファイル情報をメモリに記憶する第２ステップと、
前記第２ステップで、前記メモリに記憶したファイル情報数が予め決められた上限値に到達すると、前記メモリに記憶されたファイル情報に対応するファイルの再生を行う第３ステップと、
前記メモリから再生済みファイル情報を破棄する第４ステップと
を備え、
前記記憶媒体に記憶された全てのファイルの再生が終了するまで、前記第１ステップから前記第４ステップまでの処理を繰り返すことを特徴とするファイル再生方法。
【請求項２】
メディアファイルを記憶した記憶媒体からファイルシステムを取得する第１ステップと、
前記第１ステップで読み出したファイルシステムからファイル情報をメモリに記憶する第２ステップと、
前記第２ステップで、前記メモリに記憶したファイル情報数が予め決められた上限値に到達すると、前記メモリに記憶したファイル情報をユーザに提示して、どのファイルを再生するかをユーザに選択させる第３ステップと、
前記第３ステップでユーザが選択したファイル以外のファイル情報を前記メモリから破棄する第４ステップと、
前記第４ステップでファイル情報の破棄で空いたメモリ領域に、前記記憶媒体から新たに読み出したファイル情報を記憶する第５ステップと、
ユーザにより選択されたファイル数が前記上限値に到達すると、前記メモリに記憶されたファイル情報に対応するファイルを再生する第６ステップと、
前記メモリから再生済みファイル情報を破棄する第７ステップと
を備え、
前記記憶媒体に記憶された全てのファイルの選択再生が終了するまで、前記第１ステップから前記第７ステップまでの処理を繰り返すことを特徴とするファイル再生方法。
【請求項３】
メディアファイルを記憶した記憶媒体からファイルシステムを取得して、前記ファイルシステムからファイル情報を読み出すファイル情報読取部と、
前記ファイル情報読取部が読み出したファイル情報を記憶するメモリと、
前記メモリに記憶するファイル情報数をカウントするカウンタと、
前記ファイル情報読取部が取得したファイルシステムのディレクトリ情報から前記記憶媒体に記憶されたファイルの記憶位置を検索するファイル位置情報検索部と、
前記ファイル位置情報検索部が検索したファイルの記憶位置に基づいて、前記メモリに記憶されたファイル情報に対応するファイルの再生を指示するファイル再生指示部と
を備え、
前記ファイル情報読取部は、前記カウンタのカウンタ値が予め決められた上限値に到達すると、前記ファイル再生指示部へ前記メモリに記憶されたファイル情報に対応するファイルの再生を指示し、前記ファイルの再生が終了すると前記メモリに記憶されたファイル情報を破棄し、新たにファイル情報を前記メモリに記憶することを特徴とするファイル再生装置。
【発明の詳細な説明】
【技術分野】
【０００１】
この発明は、記憶媒体に記憶されたメディアのファイル再生方法及びファイル再生装置に関する。
【背景技術】
【０００２】
近年、音楽や映像等のメディアファイル（以下、ファイル）を記憶する記憶媒体の記憶容量の増加や、圧縮技術の発達により記憶媒体に記憶されるファイル数が増大している。一方、従来のファイル再生装置であるメディア再生装置、特にポータブル再生機器や車載用再生機器は、基板の省スペース化や低コスト化等のために１チップマイコンを搭載し、ファイルの情報（以下、ファイル情報）を読み込むためのメモリ容量が少なくなっており、記憶媒体に記憶されたすべてのファイル情報を読み込むことができないという課題があった。このような課題を解決するため、従来のファイル再生装置には、記憶媒体に記憶されたファイルのリスト（以下、プレイリスト）を記憶し、該プレイリストに基づいてファイルを選択するようにしたものがある。また、記憶媒体に記憶されたファイルのアドレス情報のみをメモリに読み込むように構成し、メモリ容量を節約してメモリに読み込むことのできるファイル数を多くしたものがある（例えば、特許文献１参照）。
【０００３】
【特許文献１】特開２００４−２２７６４６号公報
【発明の開示】
【発明が解決しようとする課題】
【０００４】
従来のファイル再生装置は上記のように構成されており、プレイリストを表示するものでは、プレイリストにより記憶媒体に記憶されたファイルのうち特定のファイルのみを選択することが可能であるが、記憶媒体自体にプレイリストを記憶する必要があるため、プレイリストを変更しない限り選択できるファイルを変更することができないという課題があった。また、ファイルのアドレスのみをメモリに読み込むようにしたものは、メモリに読み込むことができるファイル数は増えるが、記憶媒体に記憶されたファイル数が非常に多い場合には、全てのファイルのアドレスを読み込むことができるわけではないという課題があった。また、アドレスのみが読み込まれるため、どのファイルが読み込まれたかをユーザが知ることができないという課題があった。
【０００５】
この発明は、上記のような課題を解決するためになされたもので、記憶媒体に記憶された全てのファイルを再生できるファイル再生方法及びファイル再生装置を得ることを目的とする。
【課題を解決するための手段】
【０００６】
この発明に係るファイル再生方法は、予め決められたファイル情報数に達するまでメモリにファイル情報を記憶すると、前記ファイル情報に対応するファイルの再生を行い、前記ファイルの再生が終了すると、前記メモリから再生済みのファイル情報を破棄して記憶媒体から新たにファイル情報を読み込んで前記メモリに記憶する動作を、記憶媒体に記憶された全てのファイルの再生が終了するまで繰り返すことを特徴とする。
【発明の効果】
【０００７】
この発明によれば、予め決められたファイル情報数に達するまでメモリにファイル情報を記憶すると、前記ファイル情報に対応するファイルの再生を行い、前記ファイルの再生が終了すると、前記メモリから再生済みのファイル情報を破棄して記憶媒体から新たにファイル情報を読み込んで前記メモリに記憶する動作を、記憶媒体に記憶された全てのファイルの再生が終了するまで繰り返すように構成したので、記憶媒体に記憶された全てのファイルを再生できる効果がある。
【発明を実施するための最良の形態】
【０００８】
以下、この発明における、実施の形態の一例について、添付の図面に従って説明する。
実施の形態１．
図１は、この実施の形態１によるファイル再生装置１を用いた車載用オーディオ再生装置の構成を示した図であり、この実施の形態１による車載用オーディオ再生装置は、ＣＰＵ（Central Processing Unit）１１とメモリ１２から構成されるファイル再生装置１と、記憶媒体２と、圧縮音声デコード部３と、音声出力部４と、スピーカ部５と、操作部６と、表示部７とを備える。なお、この実施の形態１では、ファイル再生装置１をオーディオ再生装置に適用した例について説明するが、オーディオ再生装置に限られず、映像の再生を含むすべてのメディア再生装置に適用可能である。また、ファイルとして圧縮音声ファイルを取り扱うが、ファイルは音声及び圧縮されたものに限られない。
【０００９】
記憶媒体２は、複数の音楽データのファイルと、前記ファイルのファイルシステムを記憶したＣＤ―ＲＯＭ（Compact Disk−Read Only Memory）等の記憶メディアである。図２は、記憶媒体２に記憶されたＣＤ−ＲＯＭ用のファイルシステムを示した図であり、ＩＳＯ（International Organization for Standardization）９６６０で規定されたディレクトリレコードを示している。このファイルシステムには、記憶媒体２に記憶されたファイルの記憶容量、属性、ファイル名等のファイル情報と、記憶媒体２における記憶位置（先頭位置及び末尾位置）であるファイルのアドレスやファイルの大きさ等のディレクトリ情報が含まれる。また、図３は記憶媒体２に記憶されたファイルのディレクトリ構成を示した図である。ディレクトリの構成は階層構造となっており、最も上層のルートディレクトリには、複数のディレクトリが存在し、前記複数のディレクトリには、さらにそれぞれ複数のディレクトリが存在する。また、各ディレクトリには、音楽データのファイルが格納されている。
【００１０】
操作部６は、ユーザによる操作を受け付け、前記指示をＣＰＵ１１へ送信する。ＣＰＵ１１は、記憶媒体２からファイルシステムを取得して、ファイル情報を読み出してメモリ１２へ記憶する。また、メモリ１２へ記憶されたファイル情報を表示部７へ表示すると共に圧縮音声デコード部３へ記憶媒体２に記憶されたファイルの再生を指示し、操作部６からの指示に基づきメモリ１２へ記憶したファイル情報を破棄する。圧縮音声デコード部３は、ＣＰＵ１１からの指示に基づいて、記憶媒体２に記憶されたファイルをデコードする。音声出力部４は、圧縮音声デコード部３でデコードされたファイルを音声信号として出力する。スピーカ部５は、音声出力部４から入力された音声信号を音波として空中へ放射する。
【００１１】
図４は、この実施の形態１によるファイル再生装置１を構成するＣＰＵ１１の内部構成を示した図であり、ユーザ操作入力部２１と、ファイル情報読取部２２と、ファイル再生指示部２３と、ファイル位置情報検索部２４と、表示制御部２５とを備える。
ユーザ操作入力部２１は、操作部６から送信される指示を受信する。ファイル情報読取部２２は、記憶媒体２からファイルシステムを取得してファイル情報を取得して該ファイル情報をメモリ１２へ記憶する。また、ファイル情報読取部２２は、メモリ１２へ記憶されたファイル情報を表示するよう表示制御部２５へ指示するとともに、メモリ１２に記憶されたファイル情報に対応するファイルを再生するようファイル再生指示部２３へ指示する。またファイル情報読取部２２は、メモリ１２の記憶容量に合わせて予め決定された上限値を記憶し、メモリ１２に記憶されたファイル情報数をカウントするカウンタを備えている。なおカウンタは、ファイル情報読取部２２とは別に独立して備えるようにしてもよい。
【００１２】
ファイル位置情報検索部２４は、ファイル情報読取部２２が取得したファイルシステムのディレクトリ情報から記憶媒体２に記憶されたファイルの記憶位置を検索する。ファイル再生指示部２３は、ファイル情報読取部２２からの再生指示及びファイル位置情報検索部２４により検索されたファイルの記憶位置に基づき、メモリ１２に記憶されたファイル情報に対応するファイルの再生を圧縮音声デコード部３へ指示する。表示制御部２５は、ファイル情報読取部２２からの表示指示に基づきメモリ１２に記憶したファイル名等のファイル情報を表示部７へ表示する。
【００１３】
次に動作について説明する。
図５は、実施の形態１によるファイル再生装置１の動作を示したフローチャートである。
初めに、操作部６よりユーザの再生指示をユーザ操作入力部２１が受信すると、ファイル情報読取部２２は、記憶媒体２に記憶されたファイルシステムの先頭を検出する（ステップＳＴ１０）。次に、ファイル情報読取部２２は、読み込んだファイル情報数をカウントするカウンタ値Ｎを０にセットする（ステップＳＴ１１）。次に、ファイル情報読取部２２は記憶媒体２からファイルシステムを取得する。次に、ファイル情報読取部２２は、読み込んだファイルシステムからファイル情報を読み込む（ステップＳＴ１２）。次に、ファイル位置情報検索部２４は、ファイル情報読取部２２が取得したファイルシステムのディレクトリ情報からルートディレクトリの記録位置を検索すると共に、記憶媒体２におけるファイルの記憶位置を検索する。
【００１４】
次に、ファイル情報読取部２２は、ファイル位置情報検索部２４により検索されたルートディレクトリ直下のディレクトリに存在するファイルが再生可能であるか否かを、読み込んだファイル情報の拡張子に基づいて判定する（ステップＳＴ１３）。前記ファイルが再生可能である場合、ファイル情報読取部２２はカウンタ値Ｎを１増やし（ステップＳＴ１４）、読み込んだファイル情報をメモリ１２へ記憶する。また、ファイルが再生可能でない場合、ファイル情報読取部２２は、カウンタ値Ｎを増やさず、読み込んだファイル情報をメモリ１２へ記憶せずにそのまま破棄する。次に、ファイル情報読取部２２は、カウンタ値Ｎが上限値に到達したかを判定する（ステップＳＴ１５）。
【００１５】
カウンタ値Ｎが上限値に到達していない場合、ファイル情報読取部２２は、同一ディレクトリ内の全てのファイルについてファイル情報の確認が終了したかを判定し（ステップＳＴ１６）、同一ディレクトリ内にファイル情報の確認が終了していないファイルがある場合は、ステップＳＴ１５でカウンタ値Ｎが上限値に到達するまで、又はステップＳＴ１６でディレクトリ内の全てのファイルについてファイル情報の確認が終了するまで、ステップＳＴ１２からの処理を繰り返す。また、ステップＳＴ１６にてディレクトリ内の全てのファイルについてファイル情報の確認が終了している場合、ファイル情報読取部２２は、まだファイル情報を確認していないディレクトリ（以下、未読ディレクトリ）があるか否かを判定する（ステップＳＴ１７）。
【００１６】
ステップＳＴ１７で未読ディレクトリがある場合、ファイル情報読取部２２は、未読ディレクトリに移動して（ステップＳＴ１８）、ステップＳＴ１５でカウンタ値Ｎが上限値に到達するまで、又はステップＳＴ１７で未読ディレクトリがなくなるまで、ステップＳＴ１２からの処理を繰り返す。また、ステップＳＴ１５でカウンタ値Ｎが上限値を超えた場合、ファイル情報読取部２２は、ファイル再生指示部２３へメモリ１２に記憶されているファイル情報に対応するファイルを再生するよう指示する（ステップＳＴ１９）。
【００１７】
ファイル再生指示部２３は、ファイル情報読取部２２からの指示及びファイル位置情報検索部２４で検索されたファイルの位置情報に基づき、メモリ１２に記憶されたファイル情報に対応するファイルの再生を圧縮音声デコード部３へ指示する。なお、圧縮音声デコード部３は、ファイル位置情報検索部２４で検索されたファイルの記憶位置及びファイル再生指示部２３からの再生指示に基づいて記憶媒体２に記憶されたファイルを読み出してデコードし、圧縮音声デコード部３でデコードされたファイルは、音声出力部４により音声信号としてスピーカ部５へ出力され、スピーカ部５から音声が再生される。
【００１８】
次に、ファイル情報読取部２２は、表示制御部２５へ、ファイルシステムに未読領域が残っていることを通知するように指示し、表示制御部２５は、ファイル情報読取部２２からの指示に基づきその旨を表示部７へ表示する（ステップＳＴ２０）。次に、ユーザ操作入力部２１がファイルシステムの未読領域の読み込み指示を受信すると（ステップＳＴ２１）、ファイル位置情報検索部２４は、未読領域があるかどうか、つまり未読領域のディレクトリ内にファイルがあるかを検索し（ステップＳＴ２２）、未読領域がある場合は、メモリ１２に記憶したファイル情報を全て破棄したうえで（ステップＳＴ２３）、ファイルシステムの前回読み込んだ領域の続きへ移動して（ステップＳＴ２４）、ステップＳＴ１１から処理を再開する。また、ステップＳＴ２２で未読領域が無い場合、ファイル再生装置１は動作を終了する。
【００１９】
また、ステップＳＴ１７で未読ディレクトリがない場合、ファイル情報読取部２２は、ステップＳＴ１９の場合と同様に、ファイル再生指示部２３へメモリ１２に記憶されているファイル情報に対応するファイルを再生するよう指示する（ステップＳＴ２５）。ファイル再生装置１は、前記ファイルが再生されると動作を終了する。
【００２０】
以上のように、この実施の形態１によるファイル再生装置１は、予め決められたファイル情報数に達するまでメモリ１２にファイル情報を記憶すると、前記ファイル情報に対応するファイルの再生を行い、前記ファイルの再生が終了すると、メモリ１２からファイル情報を破棄して記憶媒体２から新たにファイル情報を読み込んでメモリ１２に記憶する動作を、記憶媒体２に記憶された全てのファイルの再生が終了するまで繰り返すように構成したので記憶媒体２に記憶された全てのファイルを再生できる効果がある。また、メモリ１２に記憶したファイル情報を表示部７へ表示するようにしたので、どのファイルが読み込まれたかをユーザが知ることができるという効果がある。
【００２１】
実施の形態２．
この実施の形態２では、さらに、ユーザが再生ファイルを選択できるようにした形態について説明する。なお、実施の形態２によるファイル再生装置１の構成は実施の形態１と同じであるため、その説明を省略する。
【００２２】
次に動作について説明する。
図６は、実施の形態２によるファイル再生装置１の動作を示したフローチャートである。
初めに、操作部６よりユーザの指示をユーザ操作入力部２１が受信すると、ファイル情報読取部２２は、記憶媒体２に記憶されたファイルシステムの先頭を検出する（ステップＳＴ３０）。次に、ファイル情報読取部２２は、読み込んだファイル情報数をカウントするカウンタ値Ｎを０にセットする（ステップＳＴ３１）。次に、ファイル情報読取部２２は記憶媒体２からファイルシステムを取得する。次に、ファイル情報読取部２２は、読み込んだファイルシステムからファイル情報を読み込む（ステップＳＴ３２）。次に、ファイル位置情報検索部２４は、ファイル情報読取部２２が取得したファイルシステムのディレクトリ情報からルートディレクトリの記録位置を検索すると共に、記憶媒体２におけるファイルの記憶位置を検索する。
【００２３】
次に、ファイル位置情報検索部２４により検索されたルートディレクトリ直下のディレクトリに存在するファイルが再生可能であるか否かを、読み込んだファイル情報の拡張子に基づいて判定する（ステップＳＴ３３）。ファイルが再生可能である場合、ファイル情報読取部２２はカウンタ値Ｎを１増やし（ステップＳＴ３４）、読み込んだファイル情報をメモリ１２へ記憶する。また、ファイルが再生可能でない場合、ファイル情報読取部２２は、カウンタ値Ｎを増やさず、読み込んだファイル情報をメモリ１２へ記憶せずにそのまま破棄する。次に、ファイル情報読取部２２は、カウンタ値Ｎが上限値に到達したかを判定する（ステップＳＴ３５）。
【００２４】
カウンタ値Ｎが上限値に到達していない場合、ファイル情報読取部２２は、同一ディレクトリ内の全てのファイルについてファイル情報の確認が終了したかを判定し（ステップＳＴ３６）、同一ディレクトリ内にファイル情報の確認が終了していないファイルがある場合は、ステップＳＴ３５でカウンタ値Ｎが上限値に到達するまで、又はステップＳＴ３６でディレクトリ内の全てのファイルについてファイル情報の確認が終了するまで、ステップＳＴ３２からの処理を繰り返す。また、ステップＳＴ３６にてディレクトリ内の全てのファイルについてファイル情報の確認が終了している場合、ファイル情報読取部２２は、未読ディレクトリがあるか否かを判定する（ステップＳＴ３７）。
【００２５】
ステップＳＴ３７で未読ディレクトリがある場合、ファイル情報読取部２２は、未読ディレクトリに移動して（ステップＳＴ３８）、ステップＳＴ３２からの処理を繰り返す。また、ステップＳＴ３３でカウンタ値Ｎが上限値を超えた場合、又はステップＳＴ３７で未読ディレクトリがない場合、ファイル情報読取部２２は、表示制御部２５にメモリ１２に記憶したファイル情報を表示するよう指示し、表示制御部２５はファイル情報読取部２２の指示に基づき、表示部７へファイル情報を表示して、ユーザに所望のファイルを選択させる（ステップＳＴ３９）。ユーザにより操作部６が操作され、表示部７へ表示されたファイルが選択されると、操作部６より選択されたファイルの情報（以下、ファイル選択情報）が送信される。
【００２６】
次に、ユーザ操作入力部２１が前記ファイル選択情報を受信すると、ファイル情報読取部２２は、前記ファイル選択情報に基づき選択されたファイル以外のファイル情報をメモリ１２より破棄し（ステップＳＴ４０）、破棄した分のファイル数をカウンタ値Ｎから減算する。次に、ファイル情報読取部２２は、カウンタ値Ｎが上限値に達しているか否かを判定する（ステップＳＴ４１）。ステップＳＴ４１で、カウンタ値Ｎが上限値に達していない場合、すなわちステップＳＴ４０で選択されなったファイル情報が破棄された場合、ファイル情報読取部２２は、まだファイル情報を確認していない未読領域が記憶媒体２に存在するか否かを判定する（ステップＳＴ４２）。前記未読領域がある場合は、ファイル情報読取部２２は、ユーザによるファイル選択の終了指示をユーザ操作入力部２１が受信したか否かを判定し（ステップＳＴ４３）、ファイル選択の終了指示を受信していない場合、ステップＳＴ３６の処理へ戻る。
【００２７】
また、ステップＳＴ４１で、カウンタ値Ｎが上限値に到達している場合、ファイル情報読取部２２は、ファイル再生指示部２３へメモリ１２に記憶されているファイル情報に対応するファイルを再生するよう指示し、ファイル再生指示部２３は、ファイル情報読取部２２からの指示及びファイル位置情報検索部２４で検索されたファイルの位置情報に基づき、メモリ１２に記憶されたファイル情報に対応するファイルの再生を圧縮音声デコード部３へ指示する（ステップＳＴ４５）。なお、再生動作については実施の形態１と同じであるため説明を省略する。
【００２８】
次に、ファイル情報読取部２２は、表示制御部２５へ、ファイルシステムに未読領域が残っていることを通知するように指示する（ステップＳＴ４６）。表示制御部２５は、ファイル情報読取部２２からの指示に基づきその旨を表示部７へ表示する。次に、ファイルシステムの未読領域の読み込み指示をユーザ操作入力部２１が受信すると（ステップＳＴ４７）、ファイル位置情報検索部２４は、未読領域があるか、つまり未読領域のディレクトリ内にファイルがあるかを検索し（ステップＳＴ４８）、未読領域がある場合は、メモリ１２に記憶したファイル情報を全て破棄したうえで（ステップＳＴ４９）、ファイルシステムの前回読み込んだ領域の続きへ移動して（ステップＳＴ５０）、ステップＳＴ３１から処理を再開する。また、ステップＳＴ４８で未読領域が無い場合、ファイル再生装置１は動作を終了する。
【００２９】
また、ステップＳＴ４２で未読領域が無い場合、又はステップＳＴ４３でユーザによるファイル選択の終了指示を操作部６から受信した場合、ファイル情報読取部２２は、ファイル再生指示部２３へメモリ１２に記憶されているファイル情報に対応するファイルを再生するよう指示し（ステップＳＴ４４）、ファイル再生装置１は、前記ファイルが再生されると動作を終了する。
【００３０】
以上のように、この実施の形態２によるファイル再生装置１は、ユーザにより選択されたファイルのみを残して、他のファイル情報をメモリ１２から破棄して、空いたメモリ部分に、記憶媒体２から新たにファイル情報を読み込んで記憶するように構成したので、実施の形態１に比べてメモリ１２の容量が小さくても、記憶媒体２に記憶されたすべてのファイルを再生することができる効果がある。また、ユーザが再生したいファイルを選択することができるので、所望のファイルのみを再生できるという効果がある。なお、実施の形態２では、表示制御部２５をＣＰＵ１１内に設けて、表示部７にファイル情報を表示して、ユーザによりファイルを選択させるようにしたが、ＣＰＵ１１内に表示制御部２５を設けずに、メモリ１２に読み込んだファイル情報に対応するファイルを実際に再生してユーザに所望のファイルを選択させるように構成してもよい。
【００３１】
この場合、ユーザによる選択終了指示があるまで、記憶媒体２に記憶されたファイルを再生することになるため、ファイルの再生時間を初めの１０秒間のみとし、その１０秒間の間にユーザにファイルを再生するかを選択させるようにしても良い。また、ファイルの再生時間をユーザが自由に変更できるように構成しても良い。上記のように構成すれば、ＣＰＵ１１内に表示制御部２５を設ける必要がなく、構成を簡略化できる効果がある。また、ＣＰＵ１１内の各構成の機能は、回路により実現してもよく、プログラム等のソフトウェアにより実現しても良い。
【図面の簡単な説明】
【００３２】
【図１】この実施の形態１によるファイル再生装置を用いたオーディオ再生装置の構成図である。
【図２】この実施の形態１によるファイルシステムの構成を示した図である。
【図３】記憶媒体に記憶されたファイルのディレクトリ構造を示した図である。
【図４】この実施の形態１によるファイル再生装置の構成図である。
【図５】この実施の形態１によるファイル再生装置の動作を示したフローチャートである。
【図６】この実施の形態２によるファイル再生装置の動作を示したフローチャートである。
【符号の説明】
【００３３】
１  ファイル再生装置、２  記憶媒体、３  圧縮音声デコード部、４  音声出力部、５  スピーカ部、６  操作部、７  表示部、１１  ＣＰＵ、１２  メモリ、２１  ユーザ操作入力部、２２  ファイル情報読取部、２３  ファイル再生指示部、２４  ファイル位置情報検索部、２５  表示制御部。
【図１】
2009087393.tif 000003
【図２】
2009087393.tif 000004
【図３】
2009087393.tif 000005
【図４】
2009087393.tif 000006
【図５】
2009087393.tif 000007
【図６】
2009087393.tif 000008